(57)【要約】【目的】浴室の排水口部分に溜まった毛髪の廃棄が容易であり、しかも廃棄した毛髪が目に触れ難い浴室用ゴミ箱を提供する。【構成】上段毛髪投入容器と、下段毛髪収納容器との少なくとも２段構成の浴室用ゴミ箱において、  前記上段毛髪投入容器は、上方開口の有底ケース体から成り、該有底ケース体の底部には、前記上方開口から投入される毛髪を流水と共に前記下段毛髪収納容器に流下させるスリットが設けられており、  前記下段毛髪収納容器は、上方開口の有底ケース体から成り、該有底ケース体の底部には、前記スリットから流下される毛髪及び流水中の流水のみを排出する通水孔が設けられていると共に、該底部を底上げして前記通水孔からの排水を確保する構成であること、  を特徴とする浴室用ゴミ箱。【選択図】        図１
2013119443.tif 000002
【特許請求の範囲】
【請求項１】
上段毛髪投入容器と、下段毛髪収納容器との少なくとも２段構成の浴室用ゴミ箱において、
前記上段毛髪投入容器は、上方開口の有底ケース体から成り、該有底ケース体の底部には、前記上方開口から投入される毛髪を流水と共に前記下段毛髪収納容器に流下させるスリットが設けられており、
前記下段毛髪収納容器は、上方開口の有底ケース体から成り、該有底ケース体の底部には、前記スリットから流下される毛髪及び流水中の流水を排出する通水孔が設けられていると共に、該底部を底上げして前記通水孔からの排水を確保する構成であること、
を特徴とする浴室用ゴミ箱。
【請求項２】
前記上段毛髪投入容器の底部が、前記スリットに向けて下方に傾斜した構成であることを特徴とする請求項１に記載の浴室用ゴミ箱。
【請求項３】
前記スリットの両側に位置する底部の一方と他方とを異なる高さにすると共に、この一方と他方の各々の端辺を平面視した際に重合させることによって、前記両側底部の端辺間の間隙を前記スリットとして構成したことを特徴とする請求項１又は２に記載の浴室用ゴミ箱。
【請求項４】
前記上段毛髪投入容器の上方開口を閉塞する蓋体が用意された構成であることを特徴とする請求項１〜３のいずれかに記載の浴室用ゴミ箱。
【請求項５】
前記蓋体が、石鹸収納箱であることを特徴とする請求項４に記載の浴室用ゴミ箱。
【発明の詳細な説明】
【技術分野】
【０００１】
本発明は浴室用ゴミ箱に関し、詳しくは浴室の排水口部分に溜まった毛髪を廃棄収納する浴室用ゴミ箱に関する。
【背景技術】
【０００２】
入浴時の洗髪によって抜け落ちた毛髪は湯水と共に排水口まで流れて該排水口部分に溜まることになる。
【０００３】
排水口部分に溜まった毛髪は、そのまま放置しておくと美的面においては見苦しく不快であるだけでなく、衛生面においても問題があり、更には配水管に流れて付着した場合には排水管詰りの原因となる等、多くの問題点を有している。
【０００４】
そこで、入浴の度に乃至は入浴複数回毎に、手指やピンセット等により毛髪類を摘み、浴室内に配置したゴミ箱に廃棄することが行われている。
【０００５】
排水口部分に溜まった毛髪は濡れているのでゴミ箱への廃棄の際に指に付着して纏わり付くために極めて廃棄し難いという問題点を有している。
【０００６】
特許文献１には、ゴミ箱の底部からテーパー付き棒を立設し、排水口部分から摘みあげた毛髪をこのテーパー付き棒に巻き付けることにより手指やピンセットから引き離し、その後にテーパー付き棒の上方から水を掛けてゴミ箱底部に毛髪を流し落とすことにより廃棄を容易にする技術が記載されている。
【先行技術文献】
【特許文献】
【０００７】
【特許文献１】実開平０５−０５１８０２号
【発明の概要】
【発明が解決しようとする課題】
【０００８】
特許文献１の技術では、毛髪の廃棄が容易であるものの、ゴミ箱内に廃棄した毛髪はその底部に溜まった状態で収納されていくことになり、比較的狭所である浴室内では入浴時に当該ゴミ箱を斜め上方から見る機会が多く、ゴミ箱内の底部に溜まった毛髪が視界に入り易いために見苦しく不快であるという問題点を有している。
【０００９】
そこで本発明の課題は、浴室の排水口部分に溜まった毛髪の廃棄がより容易であり、しかも廃棄した毛髪が目に触れ難い浴室用ゴミ箱を提供することにある。
【課題を解決するための手段】
【００１０】
上記課題を解決する本発明は、下記構成を有する。
【００１１】
１．上段毛髪投入容器と、下段毛髪収納容器との少なくとも２段構成の浴室用ゴミ箱において、
前記上段毛髪投入容器は、上方開口の有底ケース体から成り、該有底ケース体の底部には、前記上方開口から投入される毛髪を流水と共に前記下段毛髪収納容器に流下させるスリットが設けられており、
前記下段毛髪収納容器は、上方開口の有底ケース体から成り、該有底ケース体の底部には、前記スリットから流下される毛髪及び流水中の流水を排出する通水孔が設けられていると共に、該底部を底上げして前記通水孔からの排水を確保する構成であること、
を特徴とする浴室用ゴミ箱。
【００１２】
２．前記上段毛髪投入容器の底部が、前記スリットに向けて下方に傾斜した構成であることを特徴とする上記１に記載の浴室用ゴミ箱。
【００１３】
３．前記スリットの両側に位置する底部の一方と他方とを異なる高さにすると共に、この一方と他方の各々の端辺を平面視した際に重合させることによって、前記両側底部の端辺間の間隙を前記スリットとして構成したことを特徴とする上記１又は２に記載の浴室用ゴミ箱。
【００１４】
４．前記上段毛髪投入容器の上方開口を閉塞する蓋体が用意された構成であることを特徴とする上記１〜３のいずれかに記載の浴室用ゴミ箱。
【００１５】
５．前記蓋体が、石鹸収納箱であることを特徴とする上記４に記載の浴室用ゴミ箱。
【発明の効果】
【００１６】
請求項１に示す発明によれば、浴室の排水口部分に溜まった毛髪の廃棄がより容易であり、しかも廃棄した毛髪が目に触れ難い浴室用ゴミ箱を提供することができる。
【００１７】
特に、排水口から摘みあげた毛髪を上段毛髪投入容器の上から水を掛け流すだけで下段毛髪収納容器に収納させることができるので、手指に付着して纏わりつく毛髪であっても極めて容易に廃棄することができる。しかも廃棄した毛髪は下段毛髪収納容器内に収納された状態となるので、比較的狭所である浴室内であっても廃棄した毛髪類が目に触れ難いという効果を有する。
【００１８】
請求項２に示す発明によれば、上段毛髪投入容器から下段毛髪収納容器への毛髪の流下による廃棄収納をより確実且つ速やかに行うことが可能である。
【００１９】
請求項３に示す発明によれば、浴室用ゴミ箱を斜め上方のみならず上方から見た場合であっても下段毛髪収納容器内に廃棄収納された毛髪が目に触れてしまう虞が極めて低い。
【００２０】
請求項４に示す発明によれば、下段毛髪収納容器内に廃棄収納された毛髪が目に触れてしまうことが全く無いという効果を有する。
【００２１】
請求項５に示す発明によれば、下段毛髪収納容器内に廃棄収納された毛髪が目に触れてしまうことが全く無いと共に、ゴミ箱としての機能と石鹸収納箱としての機能を併せ持つという効果を有する。従って、浴室用ゴミ箱としての配設スペースを新たに確保することなく、従来から用いていた石鹸箱の配設スペースを用いてゴミ箱機能を付加することができる。
【図面の簡単な説明】
【００２２】
【図１】本発明に係る浴室用ゴミ箱の一実施例を示す概略構成斜視図
【図２】図１に示す実施例の概略端面図
【図３】上段毛髪投入容器のスリットの種々態様例を示す概略端面図
【図４】上段毛髪投入容器のスリットの種々態様例を示す概略平面図
【図５】本発明に係る浴室用ゴミ箱の他の実施例を示す概略構成斜視図
【図６】蓋体の種々態様例を示す概略斜視図
【発明を実施するための形態】
【００２３】
以下、本発明に係る浴室用ゴミ箱について図面に基づき説明する。
【００２４】
本発明は、浴室の排水口部分に溜まった毛髪を廃棄収納する浴室用ゴミ箱であり、
具体的な実施構成としては、例えば、図１及び図２に示すように、
本発明の浴室用ゴミ箱１は、上段毛髪投入容器２と、下段毛髪収納容器３との少なくとも２段構成を有し、
前記上段毛髪投入容器２は、上方開口の有底ケース体から成り、該有底ケース体の底部２１には、前記上方開口から投入される毛髪を流水と共に前記下段毛髪収納容器３に流下させるスリット２２が設けられており、
前記下段毛髪収納容器３は、上方開口の有底ケース体から成り、該有底ケース体の底部３１には、前記スリット２２から流下される毛髪及び流水中の流水を排出する通水孔３２が設けられていると共に、該底部３１を底上げして前記通水孔３２からの排水を確保する構成であること、を主構成とするものである。
【００２５】
以下、各構成について更に説明する。
【００２６】
前記上段毛髪投入容器２の底部２１は、図２及び図３（Ａ）に示すように、前記スリット２２に向けて下方に傾斜した構成であることが好ましく、かかる構成によって流水による流下が速やか且つ円滑に前記スリット２２に導かれることになるので、投入した毛髪を流水と共に速やか且つ円滑に下段毛髪収納容器３に流下させて廃棄収納させることができる。
【００２７】
排水口部分に溜まり手指やピンセット等で摘みあげられ投入される毛髪は、単に濡れているだけでなく複数本が絡み合ったり束になったり、更には鳥の巣状にとぐろを巻いたような状態である場合もある。かかる状態の毛髪を流水と共に確実に通過させる前記スリット２２の構成としては、その長さが概ね５０〜１５０ｍｍ程度、好ましくは７５〜１２５ｍｍ程度、間隙幅が概ね４〜２０ｍｍ程度、好ましくは５〜１０ｍｍ程度を挙げることができる。
【００２８】
前記底部２１及びスリット２２としては上記した実施例に限らず、本発明の範囲内において他の態様、例えば、図３に示すような態様を採ることができる。尚、上記実施例の底部２１は、図３（Ａ）に示すようにスリット２２に向けて湾曲しながら傾斜する構成となっている。
【００２９】
図３（Ｂ）は、スリット２２の両側に位置する底部２１を略水平にした構成であり、湾曲構成である図３（Ａ）に比して下段毛髪収納容器３への流下速度は遅くなるが、底部２１が平板構成であるため低コストで形成可能である。
【００３０】
図３（Ｃ）は、スリット２２の両側に位置する底部２１を図３（Ａ）に示す湾曲部材ではなく平板部材を斜めに配設することによってスリット２２に向けて傾斜する構成となっている。
【００３１】
図３（Ｄ）は、スリット２２の両側に位置する底部２１の一方２１Ａと他方２１Ｂとを異なる高さに配設すると共に、この一方２１Ａと他方の２１Ｂの各々の端辺２１Ｃ・２１Ｄを平面視（上方から見た状態）した際に重合させることによって、この端辺２１Ｃと端辺２１Ｄとの間隙をスリット２２とする構成である。
【００３２】
図３（Ｅ）は、前記図３（Ｃ）と図３（Ｄ）とを組み合わせた構成、即ち、底部２１の一方２１Ａと他方２１Ｂとを傾斜状態で配設すると共に、各々の端辺２１Ｃ・２１Ｄを平面視した際に重合させることによって、この端辺２１Ｃと端辺２１Ｄとの間隙をスリット２２とする構成である。尚、本態様では、底部２１の一方２１Ａと他方２１Ｂの基端部分を同じ高さとしたため、該一方２１Ａと他方２１Ｂとは異なる傾斜角度になっている。
【００３３】
図３（Ｆ）は、前記図３（Ｅ）と同様に、前記図３（Ｃ）と図３（Ｄ）とを組み合わせた構成、即ち、底部２１の一方２１Ａと他方２１Ｂとを傾斜状態で配設すると共に、各々の端辺２１Ｃ・２１Ｄを平面視した際に重合させることによって、この端辺２１Ｃと端辺２１Ｄとの間隙をスリット２２とする構成である。尚、本態様では、底部２１の一方２１Ａと他方２１Ｂの傾斜角度を同じにしたため、該一方２１Ａの基端部分と他方２１Ｂの基端部分とは異なる高さになっている。
【００３４】
上記した構成の内、図３（Ｄ）、図３（Ｅ）及び図３（Ｆ）によれば、浴室用ゴミ箱１を斜め上方乃至は上方から見た場合であっても、下段毛髪収納容器３内に廃棄収納された毛髪がスリット２２から見えてしまうことを防止することができる。
【００３５】
更に、底部２１及びスリット２２は、図４に示すように平面視した際に種々の構成を採ることができる。
【００３６】
図４（Ａ）は、上記した実施例である図１、図２及び図３（Ａ）に示す態様のスリット２２として好適な例を示し、平面視した際に長方形乃至は角丸長方形（或いは長円でもよい。）の形状の透孔からなるスリット２２である。
【００３７】
図４（Ｂ）は、スリット２２が底部２１の一端から他端までの全幅に形成された透孔からなるスリット２２である。かかる構成によれば、前記図４（Ａ）構成に比して、流水による流下速度を速くすることができるため、毛髪をより速やかに下段毛髪収納容器３に廃棄収納することができる。
【００３８】
図４（Ｃ）は、前記した図３（Ｄ）、図３（Ｅ）、又は図３（Ｆ）に示す態様として好適な例を示し、スリット２２の両側に位置する底部２１の一方２１Ａと他方２１Ｂの各々の端辺２１Ｃ・２１Ｄを平面視した際に重合させることによって、この端辺２１Ｃと端辺２１Ｄとの間隙をスリット２２とする構成である。
【００３９】
図４（Ｄ）は、図４（Ｃ）に示す態様と同様に、底部２１の一方２１Ａと他方２１Ｂの各々の端辺２１Ｃ・２１Ｄの間隙をスリット２２とする構成であるが、本態様では底部２１の一方２１Ａの端辺２１Ｃの両端を他方２１Ｂ側に湾曲させた構成としている。かかる構成によれば、スリット２２の両端部への毛髪の流下時の引っ掛かりを抑制することができるので、毛髪をより速やかに且つ確実に流下させて下段毛髪収納容器３に廃棄収納することができる。
【００４０】
図４（Ｅ）は、図４（Ｄ）に示す態様と同様に、底部２１の一方２１Ａの端辺２１Ｃの両端を他方２１Ｂ側に湾曲させた構成であるが、本態様では、底部２１Ａの端辺２１Ｃの両端の湾曲部分の上面が他方２１Ｂの上面と連続的につながるように連接させた構成としている。かかる構成によれば、前記図４（Ｄ）構成と同様に、スリット２２の両端部への毛髪の引っ掛かりを抑制することができるので、毛髪をより速やかに且つ確実に流下させて下段毛髪収納容器３に廃棄収納することができる。
【００４１】
図４（Ｆ）は、前記した図４（Ａ）のスリット２２の上方に該スリット２２を隠すように毛髪摘み用のピンセットＰを載置した構成である。
【００４２】
上記した構成の内、図４（Ｃ）、図４（Ｄ）、図４（Ｅ）及び図４（Ｆ）によれば、浴室用ゴミ箱１を斜め上方乃至は上方から見た場合であっても、スリット２２の間隙部分から下段毛髪収納容器３内に廃棄収納された毛髪が見えてしまうことを防止することができる。
【００４３】
次に、前記下段毛髪収納容器３の底部３１に設けられた通水孔３２は、前記スリット２２を流水と共に通過した毛髪を確実に堰き止めると共に流水を円滑に排出するものであり、本実施例に示す多数個の丸孔から成る構成であることが好ましいが、本発明は当該構成に限定されず、多数個の線状スリット構成やメッシュ状の網孔構成等の公知公用の通水構成を採ることができる。
【００４４】
尚、下段毛髪収納容器３の底部３１は、その上面を茶色乃至は黒色等の毛髪と近似する色に構成することが好ましい。かかる構成によれば、浴室用ゴミ箱１を斜め上方乃至は上方から見た際に、スリット２２の間隙部分から下段毛髪収納容器３内の底部３１部分が見えてしまった場合であっても廃棄収納された毛髪が前記した茶色乃至は黒色等と同系色であることから視認し難くなるという効果を発揮する。
【００４５】
前記下段毛髪収納容器３の底部３１を底上げして通水孔３２からの排水を確保する構成としては、本実施例では脚部３３を前記下段毛髪収納容器３の底部分に複数個（本実施例では３個程度）配設する構成としているが、本発明は当該構成に限定されず、下段毛髪収納容器３の側壁部分を下方に延伸し、この延伸部分に１つ乃至は複数の切欠部を形成して排水を確保する構成としてもよいし、或いは底部３１の底面部に複数個の脚部を下方に立設する構成としてもよい。
【００４６】
上記構成を有する上段毛髪投入容器２と下段毛髪収納容器３は、重層状態で重層されることにより２段構成を採るが、好ましい重層構成としては図２に示すように、上段毛髪投入容器２の底縁部に重層被嵌合部２３を形成し、下段毛髪収納容器３の上縁部に重層嵌合部３４を形成したたことによる嵌合重層を挙げるできるが、本発明は当該構成に限定されず、上下複数段構成のケース体の重層構成として公知公用の重層構成、例えば、雌雄螺子構成による螺合重層構成等を特別の制限なく採ることができる。
【００４７】
以上の構成を有する本発明の浴室用ゴミ箱１への毛髪の廃棄収納について説明する。
【００４８】
先ず、入浴時の洗髪によって抜け落ちて湯水と共に排水口まで流れて該排水口部分に溜まった毛髪を、入浴の度に乃至は入浴数回毎に手指やピンセット等により排水口部分から摘み上げ、上段毛髪投入容器２の底部２１上に載置する。
【００４９】
次に、前記上段毛髪投入容器２の上方から手桶やシャワーにより水を掛ける。この水掛掛けによって、前記底部２１に載置されていた毛髪は水掛けによる流水と共にスリット２２を通過して下段毛髪収納容器３内へ流下する。
【００５０】
流水と共に下段毛髪収納容器３内へ流下した毛髪のみは底部３１上面に溜まり、流水は通水孔３２を通って下方に排水される。
【００５１】
下段毛髪収納容器３内に溜まった毛髪は、浴室の清掃時、特に浴室が乾燥して溜まった毛髪が乾いて取り出し易くなった時に上段毛髪投入容器２を分離して、脱衣室他に設置されたゴミ箱等に廃棄することができる。
【００５２】
以上、本発明の浴室用ゴミ箱について実施例及び図面に基づき説明したが、本発明は上記した各実施例に限定されず、本発明の範囲内において更に他の態様を採ることができる。
【００５３】
例えば、図５に示すように、上段毛髪投入容器２の上方開口を閉塞する蓋体４を用意した構成とすることができる。
【００５４】
蓋体４は、好ましくは上段毛髪投入容器２及び下段毛髪収納容器３から成る浴室用ゴミ箱１と一体的となる形状・意匠、更には同素材で構成されることが好ましく、図５に示す実施例では、上段毛髪投入容器２の上縁部に蓋体４が重層嵌合する蓋体嵌合部２４が形成されている。
【００５５】
また、図６に示すように、上段毛髪投入容器２の上方開口を閉塞するために用意した蓋体４を石鹸収納箱とする構成とすることもできる。
【００５６】
図６（Ａ）は、蓋体４の上面に凹部を形成し、該凹部を石鹸収納部４１としたものである。
【００５７】
図６（Ｂ）は、石鹸収納部４１の側方の一部に切欠部を形成して排水部４２とし、収納した石鹸の水切りを可能としたものである。
【００５８】
図６（Ｃ）は、蓋体４を蓋体上部４Ａと蓋体下部４Ｂの２段構成とし、上段の蓋体上部４Ａの上面は水切孔４３が設けられた石鹸収納部４１とし、下段の蓋体下部４Ｂの上面は排水部４２が形成された排水受部４４部としたものである。
【符号の説明】
【００５９】
１  浴室用ゴミ箱
２  上段毛髪投入容器
２１  底部
２２  スリット
２３  重層被嵌合部
２４  蓋体嵌合部
３  下段毛髪収納容器
３１  底部
３２  通水孔
３３  脚部
３４  重層嵌合部
４  蓋体
４Ａ  蓋体上部
４Ｂ  蓋体下部
４１  石鹸収納部
４２  排水部
４３  水切孔
４４  排水受部
Ｐ  ピンセット
【図１】
2013119443.tif 000003
【図２】
2013119443.tif 000004
【図３】
2013119443.tif 000005
【図４】
2013119443.tif 000006
【図５】
2013119443.tif 000007
【図６】
2013119443.tif 000008
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
上段毛髪投入容器と、下段毛髪収納容器との少なくとも２段構成の浴室用ゴミ箱において、
前記上段毛髪投入容器は、上方開口の有底ケース体から成り、該有底ケース体の底部には、前記上方開口から投入される毛髪を流水と共に前記下段毛髪収納容器に流下させるスリットが設けられており、
前記下段毛髪収納容器は、上方開口の有底ケース体から成り、該有底ケース体の底部には、前記スリットから流下される毛髪及び流水中の流水を排出する通水孔が設けられていると共に、該底部を底上げして前記通水孔からの排水を確保する構成であり、
前記上段毛髪投入容器の底部が、前記スリットの一方と他方との両側に分かれており、この一方と他方との両側の底部が該スリットに向けて下方に傾斜した構成であり、
且つ前記スリットの両側に位置する底部の一方と他方とを異なる高さにした構成であること、
を特徴とする浴室用ゴミ箱。
【請求項２】
前記スリットの両側に位置する底部の一方と他方の各々の端辺を平面視した際に重合させることによって、前記両側底部の端辺間の間隙を前記スリットとして構成したことを特徴とする請求項１に記載の浴室用ゴミ箱。
【請求項３】
前記上段毛髪投入容器の上方開口を閉塞する蓋体が用意された構成であることを特徴とする請求項１又は２に記載の浴室用ゴミ箱。
【請求項４】
前記蓋体が、石鹸収納箱であることを特徴とする請求項３に記載の浴室用ゴミ箱。
【手続補正２】
【補正対象書類名】明細書
【補正対象項目名】００１１
【補正方法】変更
【補正の内容】
【００１１】
１．上段毛髪投入容器と、下段毛髪収納容器との少なくとも２段構成の浴室用ゴミ箱において、
前記上段毛髪投入容器は、上方開口の有底ケース体から成り、該有底ケース体の底部には、前記上方開口から投入される毛髪を流水と共に前記下段毛髪収納容器に流下させるスリットが設けられており、
前記下段毛髪収納容器は、上方開口の有底ケース体から成り、該有底ケース体の底部には、前記スリットから流下される毛髪及び流水中の流水を排出する通水孔が設けられていると共に、該底部を底上げして前記通水孔からの排水を確保する構成であり、
前記上段毛髪投入容器の底部が、前記スリットの一方と他方との両側に分かれており、この一方と他方との両側の底部が該スリットに向けて下方に傾斜した構成であり、
且つ前記スリットの両側に位置する底部の一方と他方とを異なる高さにした構成であること、
を特徴とする浴室用ゴミ箱。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
２．前記スリットの両側に位置する底部の一方と他方の各々の端辺を平面視した際に重合させることによって、前記両側底部の端辺間の間隙を前記スリットとして構成したことを特徴とする上記１に記載の浴室用ゴミ箱。
【手続補正５】
【補正対象書類名】明細書
【補正対象項目名】００１４
【補正方法】変更
【補正の内容】
【００１４】
３．前記上段毛髪投入容器の上方開口を閉塞する蓋体が用意された構成であることを特徴とする上記１又は２に記載の浴室用ゴミ箱。
【手続補正６】
【補正対象書類名】明細書
【補正対象項目名】００１５
【補正方法】変更
【補正の内容】
【００１５】
４．前記蓋体が、石鹸収納箱であることを特徴とする上記３に記載の浴室用ゴミ箱。
【手続補正７】
【補正対象書類名】明細書
【補正対象項目名】００１８
【補正方法】変更
【補正の内容】
【００１８】
更に、上段毛髪投入容器から下段毛髪収納容器への毛髪の流下による廃棄収納をより確実且つ速やかに行うことが可能である。
【手続補正８】
【補正対象書類名】明細書
【補正対象項目名】００１９
【補正方法】変更
【補正の内容】
【００１９】
請求項２に示す発明によれば、浴室用ゴミ箱を斜め上方のみならず上方から見た場合であっても下段毛髪収納容器内に廃棄収納された毛髪が目に触れてしまう虞が極めて低い。
【手続補正９】
【補正対象書類名】明細書
【補正対象項目名】００２０
【補正方法】変更
【補正の内容】
【００２０】
請求項３に示す発明によれば、下段毛髪収納容器内に廃棄収納された毛髪が目に触れてしまうことが全く無いという効果を有する。
【手続補正１０】
【補正対象書類名】明細書
【補正対象項目名】００２１
【補正方法】変更
【補正の内容】
【００２１】
請求項４に示す発明によれば、下段毛髪収納容器内に廃棄収納された毛髪が目に触れてしまうことが全く無いと共に、ゴミ箱としての機能と石鹸収納箱としての機能を併せ持つという効果を有する。従って、浴室用ゴミ箱としての配設スペースを新たに確保することなく、従来から用いていた石鹸箱の配設スペースを用いてゴミ箱機能を付加することができる。
【手続補正１１】
【補正対象書類名】明細書
【補正対象項目名】００２２
【補正方法】変更
【補正の内容】
【００２２】
【図１】本発明に係る浴室用ゴミ箱の一例を示す概略構成斜視図
【図２】図１の概略端面図
【図３】上段毛髪投入容器のスリットの種々態様例を示す概略端面図
【図４】上段毛髪投入容器のスリットの種々態様例を示す概略平面図
【図５】本発明に係る浴室用ゴミ箱の他の例を示す概略構成斜視図
【図６】蓋体の種々態様例を示す概略斜視図
【手続補正１２】
【補正対象書類名】明細書
【補正対象項目名】００２８
【補正方法】変更
【補正の内容】
【００２８】
前記底部２１及びスリット２２としては上記例に限らず、本発明の範囲内において他の態様、例えば、図３に示すような態様を採ることができる。尚、図３（Ａ）〜図３（Ｄ）に示すスリット２２は参考例であり、図３（Ｅ）及び図３（Ｆ）に示すスリット３３が本発明である。尚また、上記例の底部２１は、図３（Ａ）に示すようにスリット２２に向けて湾曲しながら傾斜する構成となっている。
【手続補正１３】
【補正対象書類名】明細書
【補正対象項目名】００３６
【補正方法】変更
【補正の内容】
【００３６】
図４（Ａ）は、平面視した際に長方形乃至は角丸長方形（或いは長円でもよい。）の形状の透孔からなるスリット２２である。